(57)【要約】【課題】端子の係止状態を目視によって直接確認できるようにし、コネクタを前後方向に小型化する。【解決手段】本発明は、端子接続部３５と電線接続部３６を有し、この電線接続部３６に電線３１が接続されるとともに端子接続部３５に係止孔３９が貫通して形成されてなる端子３４と、この端子３４が挿通される端子挿通孔１１を有し、この端子挿通孔１１が前後方向に貫通して形成され、端子接続部３５が端子挿通孔１１の前端開口から前方に突出して配されるハウジング１０と、係止孔３９に対して前後方向と直交する上下方向から嵌合する係止突起２３を有し、端子挿通孔１１の前方領域を構成するようにして上下方向から装着されることで端子接続部３５における係止孔３９より前側部分が前方に突出しかつ露出して配されるリテーナ２０とを備えた構成としたところに特徴を有する。【選択図】図２
2014183002.tif 000002
【特許請求の範囲】
【請求項１】
端子接続部と電線接続部を有し、この電線接続部に電線が接続されるとともに前記端子接続部に係止孔が貫通して形成されてなる端子と、
この端子が挿通される端子挿通孔を有し、この端子挿通孔が前後方向に貫通して形成され、前記端子接続部が前記端子挿通孔の前端開口から前方に突出して配されるハウジングと、
前記係止孔に対して前記前後方向と直交する上下方向の一側から嵌合する係止突起を有し、前記端子挿通孔の前方領域を構成するようにして前記上下方向の一側から装着されることで前記端子接続部における前記係止孔より前側部分が前方に突出しかつ露出して配されるリテーナとを備えたコネクタ。
【請求項２】
前記リテーナは、前記係止突起が前記上下方向に突出して形成されたリテーナ本体と、このリテーナ本体の両側に形成され、前記ハウジングに対して前記上下方向の他側から係止することにより前記リテーナを前記ハウジングに固定するロック部とを備えて構成され、前記ロック部は、前記ハウジングの前方から見て、同ハウジングにおけるシールリングが装着される外周面よりも内側に配設されており、かつ、前記前後方向および前記上下方向の双方と直交する左右方向に撓み可能に形成されていることを特徴とする請求項１に記載のコネクタ。
【請求項３】
前記ハウジングは、隣り合って配された複数の前記端子挿通孔を有し、かつ、隣り合う前記端子接続部における前記端子挿通孔の前端開口から前方に突出した部分の間に配された複数の中間壁を有しており、この中間壁は前記リテーナ本体と直交する配置とされ、前記中間壁における前記リテーナ本体との対向縁には、同リテーナ本体と凹凸嵌合して前記前後方向に係止する切欠部が形成されていることを特徴とする請求項２に記載のコネクタ。
【請求項４】
前記リテーナ本体における前記中間壁との対向縁には、前記切欠部と凹凸嵌合して前記前後方向に係止する補助切欠部が形成されていることを特徴とする請求項３に記載のコネクタ。
【請求項５】
前記切欠部は、少なくとも前記係止突起の左右両側に一対配設されていることを特徴とする請求項３または請求項４に記載のコネクタ。
【請求項６】
前記ハウジングには、前記端子接続部における前記端子挿通孔の前端開口から前方に突出した部分を支持する支持部が形成されていることを特徴とする請求項１ないし請求項５に記載のコネクタ。
【発明の詳細な説明】
【技術分野】
【０００１】
本発明は、コネクタに関する。
【背景技術】
【０００２】
従来、電線の端末に接続された端子と、この端子を保持するハウジングとを備えたコネクタとして、例えば下記特許文献１に記載のものが知られている。このコネクタのハウジングは、アウタハウジングとインナハウジングとを組み付けたものであって、アウタハウジングの内部には、略Ｌ字形に屈曲した収容空間が形成されている。この収容空間はアウタハウジングの両端部で開口する形態をなし、収容空間の一側開口から端子が突出して配されるとともに、収容空間の他側開口から電線が引き出されている。
【０００３】
一方、インナハウジングは、上部材と下部材とを上下に合体させたものであって、上部材には、下方へ向けて突出させた形態のガイドピンが形成されている。このガイドピンは、上部材と下部材を合体させるに伴って端子に形成されたガイド孔に対して上方から嵌合して互いに係止するようになっており、これによって端子がインナハウジングに保持される。この後、インナハウジングをアウタハウジングに組み付けることによってハウジングが構成され、このハウジングに端子が保持された状態になる。
【０００４】
しかしながら、上記のコネクタでは、ガイドピンがガイド孔に貫通して嵌まり込んでいる様子を目視によって直接確認することができないため、ガイドピンがガイド孔に対して正常に嵌合しているか否かを確認することができない。一方、下記特許文献２に記載のコネクタは、ハウジングの前端部にリテーナが装着されるようになっており、このリテーナに設けられたランスを端子に係止させることによって端子がハウジングに保持されるようになっている。このようにすれば、ランスに設けられた係合部が端子に設けられた係合孔に係止する様子を目視によって直接確認することができる。
【先行技術文献】
【特許文献】
【０００５】
【特許文献１】特開２００８−９８１０３号公報
【特許文献２】特開２０１２−６９３４７号公報
【発明の概要】
【発明が解決しようとする課題】
【０００６】
ところで、コネクタの設置環境によっては前後方向（コネクタの嵌合方向）に十分なスペースを確保することができない場合がある。例えば、コネクタの後方にボディが接近しているような場合が想定され、このような場合には、コネクタ自体の前後寸法をできるだけ短くすることが必要とされる。しかしながら、上記特許文献２のコネクタは、片持ち状に形成されたランスによって端子を保持する構成を採用しているため、ランスを短くすることによってコネクタを前後方向に小型化することは困難である。かといって、上記特許文献１のコネクタでは端子を保持する構成を前後方向に小型化できたとしても、端子の係止状態を目視によって直接確認することができない。
【０００７】
本発明は上記のような事情に基づいて完成されたものであって、端子の係止状態を目視によって直接確認できるようにし、コネクタを前後方向に小型化することを目的とする。
【課題を解決するための手段】
【０００８】
本発明は、端子接続部と電線接続部を有し、この電線接続部に電線が接続されるとともに端子接続部に係止孔が貫通して形成されてなる端子と、この端子が挿通される端子挿通孔を有し、この端子挿通孔が前後方向に貫通して形成され、端子接続部が端子挿通孔の前端開口から前方に突出して配されるハウジングと、係止孔に対して前後方向と直交する上下方向の一側から嵌合する係止突起を有し、端子挿通孔の前方領域を構成するようにして上下方向の一側から装着されることで端子接続部における係止孔より前側部分が前方に突出しかつ露出して配されるリテーナとを備えた構成としたところに特徴を有する。
【０００９】
このような構成によると、端子の端子接続部をハウジングの端子挿通孔に挿通させておき、端子挿通孔の前方領域を構成する位置にリテーナを装着することによって係止突起を係止孔に嵌合させることができる。そして、係止突起を係止孔に嵌合させると、端子がハウジングに保持される。ここで、係止突起は、係止孔に対して上下方向の一側から嵌合する構成とされているため、端子を保持する構成を従来のランスよりも前後方向に短くすることができ、コネクタを前後方向に小型化することができる。また、端子接続部における係止孔より前側部分が前方に突出しかつ露出しているため、係止突起と係止孔の係止状態を目視によって直接確認することができる。
【００１０】
本発明の実施の態様として、以下の構成が好ましい。
リテーナは、係止突起が上下方向に突出して形成されたリテーナ本体と、このリテーナ本体の両側に形成され、ハウジングに対して上下方向の他側から係止することによりリテーナをハウジングに固定するロック部とを備えて構成され、ロック部は、ハウジングの前方から見て、同ハウジングにおけるシールリングが装着される外周面よりも内側に配設されており、かつ、前後方向および上下方向の双方と直交する左右方向に撓み可能に形成されている構成としてもよい。
【００１１】
このような構成によると、ロック部が、ハウジングにおけるシールリングが装着される外周面よりも内側に配設されているため、ハウジングを取付孔に嵌合させた場合に、ロック部と取付孔の孔縁部とが干渉することを回避できる。また、ロック部が左右方向に撓み可能に形成されているため、電線が後方に引っ張られるなどしてリテーナが後方に引っ張られても、ロック部が左右方向に撓むことにはならず、ロック部が解除されるおそれがない。
【００１２】
ハウジングは、隣り合って配された複数の端子挿通孔を有し、かつ、隣り合う端子接続部における端子挿通孔の前端開口から前方に突出した部分の間に配された複数の中間壁を有しており、この中間壁はリテーナ本体と直交する配置とされ、中間壁におけるリテーナ本体との対向縁には、同リテーナ本体と凹凸嵌合して前後方向に係止する切欠部が形成されている構成としてもよい。
【００１３】
このような構成によると、リテーナ本体の対向縁を切欠部に凹凸嵌合させることにより、リテーナが前後方向に移動することを防止できる。したがって、リテーナが前後方向に力を受けてもリテーナをハウジングに対して強固に保持することができる。
【００１４】
リテーナ本体における中間壁との対向縁には、切欠部と凹凸嵌合して前後方向に係止する補助切欠部が形成されている構成としてもよい。
このような構成によると、切欠部と補助切欠部を凹凸嵌合させることにより、リテーナをハウジングに対してさらに強固に保持することができる。
【００１５】
切欠部は、少なくとも係止突起の左右両側に一対配設されている構成としてもよい。
このような構成によると、係止突起で受ける力をその両側に配された一対の切欠部で受けることができるため、リテーナの保持をバランス良く、より強固に行うことができる。
【００１６】
ハウジングには、端子接続部における端子挿通孔の前端開口から前方に突出した部分を支持する支持部が形成されている構成としてもよい。
このような構成によると、端子接続部を支持部によって支持することができるため、端子接続部とこの端子接続部に接続される相手側端子との位置決めを容易に行うことができる。
【発明の効果】
【００１７】
本発明によれば、端子の係止状態を目視によって直接確認できるようにし、コネクタを前後方向に小型化することができる。
【図面の簡単な説明】
【００１８】
【図１】機器用コネクタの分解斜視図
【図２】機器用コネクタを斜め前方から見た斜視図
【図３】機器用コネクタを斜め後方から見た斜視図
【図４】機器用コネクタの正面図
【図５】図４におけるＡ−Ａ線断面図
【図６】リテーナを装着する前の機器用コネクタを斜め前方から見た斜視図
【図７】ハウジングを斜め前方から見た斜視図
【図８】ハウジングを斜め後方から見た斜視図
【図９】リテーナの正面図
【図１０】リテーナの底面図
【図１１】端子付き電線の斜視図
【発明を実施するための形態】
【００１９】
＜実施形態＞
本発明の実施形態を図１ないし図１１の図面を参照しながら説明する。本実施形態の機器用コネクタは、例えば、インバータ等の機器に接続されるコネクタであって、図１および図２に示すように、ハウジング１０、リテーナ２０、このリテーナ２０によってハウジング１０に保持される複数の端子付き電線３０、各端子付き電線３０の電線３１に装着される複数のゴム栓４０、これらのゴム栓４０を抜け止めするゴム栓押さえ５０、ハウジング１０を取り囲むように装着されるシールドシェル６０、このシールドシェル６０の接続筒部６１に圧着されるかしめリング７０などを備えて構成されている。この機器用コネクタは、図示しない機器のケースに貫通して形成された取付孔に嵌合可能とされており、この取付孔に嵌合する側を前側として説明する。また、上下方向および左右方向については図４を基準とする。
【００２０】
端子付き電線３０は、電線３１の端末にて被覆３２を皮剥ぎすることで露出された芯線３３に端子３４が圧着接続されたものである。端子３４は、平板状の端子接続部３５と、この端子接続部３５に連なって形成された電線接続部３６とを備えて構成されている。電線接続部３６は一対のバレル片を有し、これらのバレル片によって芯線３３を包むようにして圧着されている。また、端子接続部３５には、ボルト孔３７が形成されており、このボルト孔３７の孔縁部の下面には、ナット３８が圧入されている。また、端子接続部３５のボルト孔３７と電線接続部３６との間には、係止孔３９が貫通して形成されている。
【００２１】
ハウジング１０は合成樹脂製であって、図４に示すように、前方から見て横長の楕円形状をなしている。ハウジング１０の内部には、前後方向に貫通する形態をなす複数の端子挿通孔１１が左右方向に並んで形成されている。この端子挿通孔１１の前端開口１９Ａのうち上端部分は、図７に示すように、端子３４の端子接続部３５の高さ寸法（上下方向の寸法）および幅寸法（左右方向の寸法）と略同等の孔形状とされている。一方、前端開口１９Ａの残りの部分は、端子接続部３５の下面に固定された後述するナット３８の高さ寸法および幅寸法と略同等の孔形状とされている。端子挿通孔１１の前端開口１９Ａは、図７に示すように、横長の略方形とされている一方、端子挿通孔１１の後端開口は、図８に示すように、略円形とされている。隣り合う端子挿通孔１１の後端開口は、隔壁を有することなく互いに連なる形態とされており、全体として一つの横長の開口が形成されている。
【００２２】
図５を参照して端子挿通孔１１の構成を詳細に説明すると、端子挿通孔１１の内部は、端子３４の電線接続部３６を収容する部分１１Ａと、電線３１を収容する部分１１Ｂとに分かれる。このうち電線接続部３６を収容する部分１１Ａにおいては、各端子挿通孔１１が隔壁１２によって区画されている。一方、電線３１を収容する部分１１Ｂにおいては、隔壁１２が形成されていないため、隣り合う端子挿通孔１１が互いに連通している。これにより、端子挿通孔１１の後端開口においては、隣り合う端子挿通孔１１が互いに連なって一つの開口が形成されることになる。一方、端子挿通孔１１の前端開口１９Ａは、電線接続部３６を収容する部分１１Ａを構成する前壁１９の下端部に形成され、各端子挿通孔１１に対応して個別に形成されている。
【００２３】
電線３１を収容する部分１１Ｂの前端部には、ゴム栓４０が装着されている。また、ゴム栓４０の後側には、ゴム栓押さえ５０が装着されている。ゴム栓押さえ５０の上下両側には、一対の抜止突起５１が形成されており、端子挿通孔１１を構成する周壁には、抜止突起５１が嵌まり込んでこの抜止突起５１に後方から係止するロック孔１１Ｃが形成されている。抜止突起５１がロック孔１１Ｃに嵌まり込んで係止することによりゴム栓押さえ５０が固定され、ゴム栓４０の後方への抜けが防止される。また、ゴム栓４０は、電線３１の被覆３２と端子挿通孔１１の内周面との間で全周に亘って挟持される。これにより、端子挿通孔１１のうち電線接続部３６を収容する部分１１Ａに後方から水が浸入することを防止できる。
【００２４】
ハウジング１０の外周面には、シールリング１３が嵌着されている。ハウジング１０をケースの取付孔（図示せず）に嵌合させると、シールリング１３が、ハウジング１０の外周面と取付孔の内周面との間に挟持されることでケースの内部がシールされる。
【００２５】
端子挿通孔１１の前端開口１９Ａにおける下縁部には、前方に張り出す形態の支持壁１５が形成されている。この支持壁１５の張り出し寸法は、端子付き電線３０が端子挿入孔１１に正規位置に配された時、端子３４の先端と対応する寸法とされている。この支持壁１５は、図２に示すように、ナット３８を挿通させる溝部１５Ａを有しており、この溝部１５Ａの深さ寸法は、ナット３８の高さ寸法とほぼ一致している。また、支持壁１５は、溝部１５Ａの上縁から水平方向に延びる水平部１５Ｂを有しており、この水平部１５Ｂと溝部１５Ａが交互に並んで配されている。図４に示すように、端子接続部３５は、水平部１５Ｂにおける溝部１５Ａとの連結部（溝部１５Ａの上端でかつ水平部１５Ｂの側端）によって支持されている。さらに、溝部１５Ａの底面とナット３８の下面との間にはわずかなクリアランスが設けられている。
【００２６】
また、溝部１５Ａのうちナット３８のねじ孔と対応する部分には、ナット３８を貫通したボルトの先端部を逃がす切り欠き１５Ｃが形成されている。なお、支持壁１５の左右両側に配された一対の水平部１５Ｂの後端側には、一対の被ロック片１６がそれぞれ立設されている。これらの被ロック片１６は、互いに対向状態をなすように平行に配され、その対向面における先端部（上端部）には、内向きに突出する被ロック突起１６Ａが形成されている。被ロック片１６は、互いに離間する方向に撓み可能とされている。
【００２７】
支持壁１５の水平部１５Ｂにおける後端側でかつ左右方向の略中央には、中間壁１７が立設されている。この中間壁１７は、隣り合う端子接続部３５の間に配されて前後方向（水平部１５Ｂの長手方向）に延びる形態をなし、リテーナ２０の後述するリテーナ本体２１と直交する配置とされ、各水平部１５Ｂに対応して複数設けられている。これらの中間壁１７は、一対の被ロック片１６の間に配されて、かつ、被ロック片１６と平行をなすように配されている。また、中間壁１７は、隔壁１２の前縁から前方に突出する形態をなし、支持壁１５の水平部１５Ｂの上面と隔壁１２の双方に連結されている。中間壁１７の上縁には、切欠部１８が形成されている。この切欠部１８の前縁は、中間壁１７の前縁よりも後方に配され、切欠部１８の後縁は、隔壁１２の前縁と一致するように配されている。また、図４に示すように、切欠部１８とリテーナ２０に設けられた後述する係止突起２３とは交互に並んで配され、支持部１５における中央に位置する溝部１５Ａに対応する係止突起２３の左右両側に一対の切欠部１８が配されるようになっている。
【００２８】
また、ハウジング１０の外周面には、シールドシェル６０が装着されている。このシールドシェル６０は、導電性のよい金属板材をプレス加工したものであって、ハウジング１０の後半分に外嵌される接続筒部６１を有している。接続筒部６１の後端部には、ハウジング１０の上下両面に形成された複数の外れ止め片１４が後方から係止している。この外れ止め片１４は、接続筒部６１の内側において後方に延びる片持ち状をなし、上下方向に撓み変形可能とされている。このため、ハウジング１０に対して後方からシールドシェル６０を組み付けると、接続筒部６１の後端部に摺接することによって外れ止め片１４が端子挿通孔１１側に撓み変形し、接続筒部６１が正規に装着されると、外れ止め片１４が弾性的に復帰し、シールドシェル６０が抜け止め状態でハウジング１０の外周面に装着される。
【００２９】
シールドシェル６０には、接続筒部６１の前縁から径方向外側に広がる前壁部６２が形成されている。また、この前壁部６２の上縁には、図１に示すように、左右一対の取付片６３が前方に向けて水平姿勢で突出して形成されている。この取付片６３には、図示しないボルトを挿通させるボルト挿通孔６４が形成されており、このボルト挿通孔６４にボルトを挿通させてケースのねじ孔に締め込むことによってシールドシェル６０がケースに固定される。このとき、前壁部６２は、ケースの外面に当接するようになっており、この前壁部６２から端子接続部３５のボルト孔の中心までの距離は、ケース内に設けられた相手側端子の接続位置によって決定される。
【００３０】
接続筒部６１の外周面には、図示しない編組線が被せられて、その上からかしめリング７０がかしめ付けられるようになっている。これにより、編組線が接続筒部６１とかしめリング７０の間に狭圧された状態となってシールドシェル６０と編組線とが接続される。編組線は、複数の電線３１からなる導電路を一括して覆う筒状をなしており、導電路を一括してシールドすることができるようになっている。
【００３１】
リテーナ２０は合成樹脂製であって、図９に示すように、横長の略方形をなすリテーナ本体２１と、このリテーナ本体２１の左右両側に配された一対のロック片２２とを備えて構成されている。リテーナ本体２１の下縁には、複数の係止突起２３が下方に突出して形成されている。このリテーナ２０は、図１および図２に示すように、ハウジング１０に組み付けられた状態では端子挿通孔１１の前方領域を構成するようになっている。ここで、端子挿通孔１１の前方領域とは、図５に示すように、端子挿通孔１１を構成する前壁１９と、リテーナ本体２１とから構成された領域をいう。つまり、端子挿通孔１１の前端開口１９Ａは、前壁１９を前後方向に貫通するようにして形成されており、リテーナ２０をハウジング１０に組み付けることによって、係止突起２３が端子接続部３５に設けられた係止孔３９へ嵌まり込み、端子挿通孔１１の前端開口１９Ａから突出する端子接続部３５の根元付近に、リテーナ本体２１の壁部２５の下端が上方から当接するようになっている。
【００３２】
図９に示すように、ロック片２２の下端部には、外向きに突出するロック突起２２Ａが形成されている。図４に示すように、ロック突起２２Ａは被ロック突起１６Ａに対して下方から係止するようになっており、ロック突起２２Ａが被ロック突起１６Ａを乗り越える際には、ロック片２２が内側（リテーナ本体２１側）に撓み変形するようになっている。
【００３３】
図４に示すように、ロック片２２および被ロック片１６はいずれも、ハウジング１０の前方から見て、ハウジング１０におけるシールリング１３が装着される外周面よりも内側に配設されており、かつ、前後方向および上下方向の双方と直交する左右方向に撓み可能に形成されている。よって、機器用コネクタをケースの取付孔に嵌合させる際に、ロック片２２および被ロック片１６が取付孔の孔縁部に干渉することを回避できる。
【００３４】
リテーナ２０をハウジング１０に組み付けた状態では、図５に示すように、係止突起２３が端子接続部３５の係止孔３９に上方から嵌合し、端子３４を保持するようになっている。つまり、係止孔３９の前縁が係止突起２３に対して前方から係止することにより端子３４の後方への移動が抑制され、係止孔３９の後縁が係止突起２３に対して後方から係止することにより端子３４の前方への移動が抑制される。さらに、係止突起２３と係止孔３９の係止状態は、図２に示すように、外部から目視で直接確認することができるようになっている。そして、端子接続部３５における係止孔３９より前側部分が前方に突出しかつ露出して配される。
【００３５】
図６に示すように、リテーナ本体２１の壁部２５の下縁のうち、中間壁１７と対向する対向縁には補助切欠部２４が形成されている。この補助切欠部２４は、図２に示すように、中間壁１７の切欠部１８と凹凸嵌合するようになっている。補助切欠部２４は、同一の溝幅を有して上下方向に延びるとともに下方に開口する形態をなしている。一方、切欠部１８も同一の溝幅を有して上下方向に延びるとともに上方に開口する形態をなしている。補助切欠部２４の溝幅は中間壁１７の板厚とほぼ同じ寸法とされ、切欠部１８の溝幅はリテーナ本体２１の板厚とほぼ同じ寸法とされている。
【００３６】
補助切欠部２４が切欠部１８に凹凸嵌合した状態では、リテーナ２０は、ハウジング１０に対して前後方向および左右方向の双方において移動不能に保持されるようになっている。つまり、補助切欠部２４の内壁が中間壁１７に左右両側から当接することでリテーナ２０の左右方向への移動が抑制され、切欠部１８の内壁がリテーナ本体２１に前後両側から当接することでリテーナ２０の前後方向への移動が抑制される。また、ロック片２２のロック突起２２Ａが被ロック片１６の被ロック突起１６Ａに下方から当接することでリテーナ２０の上方への移動が抑制される。
【００３７】
また、図４に示すように、補助切欠部２４の奥端部は、切欠部１８の奥端部によって支持された状態となっており、この状態でリテーナ本体２１の壁部２５の下面と支持壁１５の水平部１５Ｂの上面との間には、端子接続部３５の板厚とほぼ同じだけのクリアランスが生じるとともに、リテーナ本体２１の壁部２５の下面と支持壁１５の溝部１５Ａの底面との間には、端子接続部３５の板厚にナット３８の高さ寸法を加えた寸法とほぼ同じクリアランスが生じるようになっている。よって、端子接続部３５は、リテーナ本体２１の壁部２５の下面と支持壁１５の水平部１５Ｂの上面との間を通過し、ナット３８は、リテーナ本体２１の壁部２５の下面と支持壁１５の溝部１５Ａの底面との間を通過することになる。
【００３８】
本実施形態は以上のような構成であって、続いてその作用を説明する。まず、電線３１にゴム栓４０を先通ししておき、電線３１の端末で被覆３２を皮剥ぎすることで芯線３３を露出させる。この芯線３３に電線接続部３６のバレル片をかしめ付けることで端子付き電線３０を形成する。次に、この端子付き電線３０をハウジング１０の後方から端子挿通孔１１に挿入する。すると、端子接続部３５が端子挿通孔１１の前端開口１９Ａから前方に突出する。引き続いてゴム栓４０を端子挿通孔１１に押し込み、ゴム栓押さえ５０を端子挿通孔１１に挿入することによってゴム栓４０の抜け止めを行う。
【００３９】
次に、リテーナ２０をハウジング１０に組み付ける。すると、各係止突起２３が各係止孔３９に上方から嵌合し、各切欠部１８が各補助切欠部２４に凹凸嵌合し、リテーナ本体２１の壁部２５の下面が端子接続部３５の上面に当接し、各ロック片２２のロック突起２２Ａが各被ロック片１６の被ロック突起１６Ａに下方から係止した状態になる。この結果、リテーナ２０がハウジング１０に保持されるとともに、端子３４がハウジング１０に保持される。続いて、シールドシェル６０をハウジング１０に対して後方から組み付ける。すると、外れ止め片１４によってシールドシェル６０がハウジング１０に保持される。その後、接続筒部６１に編組線を被せ、さらにかしめリング７０を接続筒部６１にかしめ付けることで編組線がシールドシェル６０に接続される。
【００４０】
このようにすれば、従来のランスのように前後方向に長い端子保持構造を設ける必要がなく、図５に示すように、ハウジング１０を前後方向に大幅に短くすることができる。つまり、ランスがなくなったことで端子３４の端子接続部３５の全長が短くなり、電線接続部３６を前方へ移動させることができたから、機器用コネクタのうちシールドシェル６０の前壁部６２（ケースの外面に当接する面）からハウジング１０の後端までを前後方向に小型化し、短縮することができる。したがって、ハウジング１０の後方にケースが近づいて配されているような環境にあっても、電線３１が無理にＬ字に曲げられることを回避できる。
【００４１】
以上のように本実施形態では、端子３４の端子接続部３５をハウジング１０の端子挿通孔１１に挿通させておき、端子挿通孔１１の前方領域を構成する前壁１９にリテーナ２０を装着することによって係止突起２３を係止孔３９に嵌合させることができる。係止突起２３を係止孔３９に嵌合させると、端子３４がハウジング１０に保持されることになる。ここで、係止突起２３は、係止孔３９に対して上下方向の一側（上方）から嵌合する構成とされているため、端子３４を保持する構成を従来のランスよりも前後方向に短くすることができ、機器用コネクタを前後方向に小型化することができる。また、端子接続部３５における係止孔３９より前側部分が前方に突出しかつ露出しているため、係止突起２３と係止孔３９の係止状態を目視によって直接確認することができる。
【００４２】
また、リテーナ２０は、係止突起２３が上下方向に突出して形成されたリテーナ本体２１と、このリテーナ本体２１の両側に形成され、ハウジング１０に対して上下方向の他側（下方）から係止することによりリテーナ２０をハウジング１０に固定するロック片２２とを備えて構成され、ロック片２２は、ハウジング１０の前方から見て、同ハウジング１０におけるシールリング１３が装着される外周面よりも内側に配設されており、かつ、前後方向および上下方向の双方と直交する左右方向に撓み可能に形成されている構成としてもよい。このような構成によると、ロック片２２が、ハウジング１０におけるシールリング１３が装着される外周面よりも内側に配設されているため、ハウジング１０をケースの取付孔に嵌合させた場合に、ロック片２２と取付孔の孔縁部とが干渉することを回避できる。また、ロック片２２が左右方向に撓み可能に形成されているため、電線３１が後方に引っ張られるなどしてリテーナ２０が後方に引っ張られても、ロック片２２が左右方向に撓むことにはならず、ロック片２２が解除されるおそれがない。
【００４３】
ハウジング１０は、隣り合って配された複数の端子挿通孔１１を有し、かつ、隣り合う端子接続部３５における端子挿通孔１１の前端開口１９Ａから前方に突出した部分の間に配された複数の中間壁１７を有しており、この中間壁１７はリテーナ本体２１と直交する配置とされ、中間壁１７におけるリテーナ本体２１との対向縁には、同リテーナ本体２１と凹凸嵌合して前後方向に係止する切欠部１８が切り欠き形成されている構成としてもよい。このような構成によると、リテーナ本体２１の対向縁を切欠部１８に凹凸嵌合させることにより、リテーナ２０が前後方向に移動することを防止できる。したがって、リテーナ２０が前後方向に力を受けてもリテーナ２０をハウジング１０に対して強固に保持することができる。
【００４４】
リテーナ本体２１における中間壁１７との対向縁には、切欠部１８と凹凸嵌合して前後方向に係止する補助切欠部２４が切り欠き形成されている構成としてもよい。このような構成によると、切欠部１８と補助切欠部２４を凹凸嵌合させることにより、リテーナ２０をハウジング１０に対してさらに強固に保持することができる。
【００４５】
切欠部１８は、少なくとも係止突起２３の左右両側に一対配設されている構成としてもよい。このような構成によると、係止突起２３で受ける力をその両側に配された一対の切欠部１８で受けることができるため、リテーナ２０の保持をバランス良く、より強固に行うことができる。
【００４６】
ハウジング１０には、端子接続部３５における端子挿通孔１１の前端開口１９Ａから前方に突出した部分を支持する支持壁１５が形成されている構成としてもよい。このような構成によると、端子接続部３５を支持壁１５によって支持することができるため、端子接続部３５とこの端子接続部３５に接続される相手側端子との位置決めを容易に行うことができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では機器のケースに取り付けられる機器用コネクタを例示しているものの、本発明によると、ケースの取付孔に嵌合させるのではなく相手側コネクタに嵌合させるものでもよい。
【００４８】
（２）上記実施形態ではリテーナ２０のロック片２２が左右方向に撓み可能に形成されているものの、本発明によると、ロック片２２が前後方向に撓み可能なものでもよい。
【００４９】
（３）上記実施形態では中間壁１７に切欠部１８を設けてリテーナ２０の前後方向の移動を抑制しているものの、本発明によると、中間壁１７を設けることなく支持壁１５の水平部１５Ｂに切欠部を凹設してもよい。
【００５０】
（４）上記実施形態ではリテーナ本体２１の下縁に補助切欠部２４を設けているものの、本発明によると、必ずしも補助切欠部を設けなくてもよく、切欠部１８にリテーナ本体２１の下縁部を直接嵌め込むだけでもよい。
【００５１】
（５）上記実施形態では支持壁１５が形成されているものの、例えば、モータ等の機器に接続されるコネクタの場合には、支持壁がないものでもよい。
【符号の説明】
【００５２】
１０…ハウジング
１１…端子挿通孔
１３…シールリング
１５…支持壁（支持部）
１７…中間壁
１８…切欠部
１９Ａ…前端開口
２０…リテーナ
２１…リテーナ本体
２２…ロック片（ロック部）
２３…係止突起
２４…補助切欠部
３０…端子付き電線
３１…電線
３４…端子
３５…端子接続部
３６…電線接続部
３９…係止孔
【図１】
2014183002.tif 000003
【図２】
2014183002.tif 000004
【図３】
2014183002.tif 000005
【図４】
2014183002.tif 000006
【図５】
2014183002.tif 000007
【図６】
2014183002.tif 000008
【図７】
2014183002.tif 000009
【図８】
2014183002.tif 000010
【図９】
2014183002.tif 000011
【図１０】
2014183002.tif 000012
【図１１】
2014183002.tif 000013